(57)【要約】【課題】  エレベータ装置と階段装置とを組み合わせた階段装置を提供すること。【解決手段】  エレベータ装置１を構成する昇降路２と、該昇降路２の外周に沿って設けられる廻り階段３とを有し、該廻り階段３の昇降面４より下側の空間を、昇降路２内に設けられるエレベータ装置１の設備機器６点検用の点検空間５として用いたことを特徴とする階段装置９としていている。なお本実施形態では、廻り階段３としてエレベータ装置１の三方を廻るような廻り階段３としている。なお後述するエレベータ装置１の二方を廻るようなものも廻り階段３の範疇に入る。【選択図】図１
2006265835.tif 000002
【特許請求の範囲】
【請求項１】
エレベータ装置を構成する昇降路と、該昇降路の外周に沿って設けられる廻り階段とを有し、該廻り階段の昇降面より下側の空間を、昇降路内に設けられるエレベータ装置の設備機器点検用の点検空間として用いたことを特徴とする階段装置。
【請求項２】
前記点検空間にエレベータ装置の設備機器の一部を配したことを特徴とする請求項１記載の階段装置。
【請求項３】
前記点検空間を、廻り階段の昇降面の下側に設けられる汎用収納空間の一部としたことを特徴とする請求項１または請求項２に記載の階段装置。
【請求項４】
前記点検空間は、廻り階段の昇降面の下側に設けられる汎用収納空間と連通して設けられたことを特徴とする請求項１または請求項２に記載の階段装置。
【発明の詳細な説明】
【技術分野】
【０００１】
本発明は、一般住宅や集合住宅に用いられる階段装置に関するもので、特にはエレベータ装置と組み合わせて用いられる階段装置に関するものである。
【背景技術】
【０００２】
近年、居住者の高齢化などから、一般戸建て住宅にも家庭用に小型化されたエレベータ装置を設置する例が増えている。その一方で、エレベータ装置が動作しないとき（例えば定期点検時）の昇降手段として階段の設置も必要である。例えば特許文献１に、エレベータ装置と隣接した階段部を有する建物ユニットが開示されている。
【０００３】
ところでエレベータ装置は、エレベータかごが昇降する昇降路を上下階に連通して形成する必要がある。そのため住宅のレイアウトにおいては、エレベータ装置がレイアウトの制約になる可能性がある。そこで制約となりにくい設置態様であって、しかも住宅内の居住スペースを確保することができるものを提供することが望まれていた。
【０００４】
そこで住宅内において、エレベータ装置と同様に上下階に連通する空間を必要とする階段と組合せ、全体として居住スペースを確保することができる階段装置が求められているが、一方で最小限のスペースに収めた場合、昇降路内部のスペースが無く動きづらいなど、エレベータ装置のメンテナンスがしづらいという問題があった。
【０００５】
なお、集合住宅用の外付けエレベータ装置に、追加施工時に居住者が既設階段を使えない場合にも別の階段を使えるようにした、つまり非常用階段がエレベータ装置の周りに形成されたものが知られている（特許文献２）。
【特許文献１】特開平１０−２８０５５５号公報
【特許文献２】特開２００１−２７９９３４号公報
【発明の開示】
【発明が解決しようとする課題】
【０００６】
本願発明は、上記背景技術に鑑みて発明されたものであり、その課題は、エレベータ装置と階段装置とを組み合わせた階段装置を提供することである。
【課題を解決するための手段】
【０００７】
上記課題を解決するために、請求項１にかかる本願発明では、エレベータ装置を構成する昇降路と、該昇降路の外周に沿って設けられる廻り階段とを有し、該廻り階段の昇降面より下側の空間を、昇降路内に設けられるエレベータ装置の設備機器点検用の点検空間として用いたことを特徴とする階段装置としている。
【０００８】
また請求項２にかかる本願発明では、上記に加えさらに、前記点検空間にエレベータ装置の設備機器の一部を配したことを特徴としている。
【０００９】
また請求項３にかかる本願発明では、上記に加えさらに、前記点検空間を、廻り階段の昇降面の下側に設けられる汎用収納空間の一部としたことを特徴としている。
【００１０】
また請求項４にかかる本願発明では、上記に加えさらに、前記点検空間を、廻り階段の昇降面の下側に設けられる汎用収納空間と連通して設けたことを特徴としている。
【発明の効果】
【００１１】
本願発明の請求項１にかかる階段装置においては、昇降路の外周に沿って設けられる廻り階段の昇降面より下側の空間を、エレベータ装置の設備機器点検用の点検空間として用いたことで、昇降路のスペースを小さくしても、階段の昇降面の下側の空間というデッドスペースを活用し、エレベータ装置の外側から点検が必要な箇所にたどり着くことができ、設備機器点検が容易になる。
【００１２】
本願発明の請求項２にかかる階段装置においてはさらに、点検空間そのものに設備機器の一部を配しているので、昇降路のスペース確保に役立つと共に、点検もさらに容易となる。
【００１３】
本願発明の請求項３にかかる階段装置においてはさらに、汎用収納空間の一部を点検空間として用いたことで、居住者のための収納スペースも確保することができる。
【００１４】
本願発明の請求項４にかかる階段装置においてはさらに、汎用収納空間と点検空間とを明確に隔てることができる。
【発明を実施するための最良の形態】
【００１５】
本願発明の最良の形態を図１に示される以下の第一の実施形態にて説明する。なお図１は、階段装置の最下階とその上階との間で切った平面図となっていて、その一部を切り欠き、昇降面の下側部分をあらわすようにしている。
【００１６】
本実施形態では、エレベータ装置１を構成する昇降路２と、該昇降路２の外周に沿って設けられる廻り階段３とを有し、該廻り階段３の昇降面４より下側の空間を、昇降路２内に設けられるエレベータ装置１の設備機器６点検用の点検空間５として用いたことを特徴とする階段装置９としていている。なお本実施形態では、廻り階段３としてエレベータ装置１の三方を廻るような廻り階段３としている。なお後述するエレベータ装置１の二方を廻るようなものも廻り階段３の範疇に入る。
【００１７】
そして前記点検空間５にエレベータ装置１の設備機器６の一部である油圧ポンプ、油圧タンクからなる油圧ユニット６２などを、昇降路２の外側に出して配するとともに、前記点検空間５を、廻り階段３の昇降面４の下側に設けられる汎用収納空間７の一部としている。この汎用収納空間７とは、従来から階段下のスペースを収納用として用いることがなされているが、このような収納スペースと同義である。
【００１８】
なお、点検空間５に設備機器６を配さない場合には、点検空間５は昇降路２の所定部位への到達のために用いる連絡路としての位置づけになる。
【００１９】
なおエレベータ装置１は、油圧式、ロープ式など種々の駆動方式のものが用いられるが、本実施形態では油圧式のものを例にとり説明をする。勿論、ロープ式や水圧式など油圧式以外の液圧式と呼ばれるものでも利用可能であることは言うまでもない。なお油圧ユニット６２は、油圧ジャッキ６１との間をホース６３で連結し、油の出し入れを行なっている。そして油圧ユニット６２の位置は油圧ジャッキ６１と最短距離で連結されることが望ましいので、点検空間５もこれに合わせて形成することが望ましい。
【００２０】
なお前記設備機器６とは、エレベータ装置１全ての設備機器６を言うのではなく、昇降路２の下方、特には昇降路２の底部分、一般にはピットと呼ばれる、通常は建物の基礎より掘り下げられる部分に設けられるものに特に役立つ。これには、例えば油圧タンク、油圧ポンプなど重量のあるこれら油圧ユニット６２（ロープ式の場合は、巻き胴式のモータなど）や、重量が無くとも、例えばエレベータ装置１の電源装置などは、停電になったときなど昇降路２の中に入らずとも点検ができるため対象として望ましい。また、このようにすることで昇降路２内がすっきりとし、施工時に複雑な作業によらず組み立てることも可能となる。
【００２１】
エレベータ装置１は、前述のとおり、エレベータかご６４が昇降する昇降路２や、駆動装置などで構成されている。図１では油圧式のエレベータ装置１を示している。エレベータかご６４には、開口が設けられ、開口を閉塞するかご扉６５が取付けられる。そして乗場８側に設けられている乗場扉８１と、エレベータかご６４が到着、停止したときに、それぞれの扉が連動し、開閉される。図示されているのは、折れ戸形式のものであるが、その他の形式のものも利用可能である。
【００２２】
エレベータかご６４は油圧ジャッキ６１と係合されるプラットホーム（図示せず）上に載置され、油圧ジャッキ６１の伸縮に応じて、ガイドレールに沿ってエレベータかご６４は昇降される。その他、図１では、必要な装置などが描画されているが、説明は割愛する。
【００２３】
廻り階段３は、昇降路２を形成する壁の外側面に踏み板などからなる昇降面４を設け、形成される。そのため今回着目している最下階からの昇降面４の下側部分の空間は、通常は高さが低い状態から始まり、徐々に高さが高くなり、次の上階に至る所で高さが一階分の高さになる。例えば図１では、図示するエレベータ装置１の右側の昇り口３１から上階に向かって昇り始め、直角に二回曲がりながら昇り、昇り始めと逆方向を向き上階に至る。
【００２４】
本実施形態では昇降路２と廻り階段３の昇降面４とを仕切る壁を、廻り階段３の設置用として設置し、エレベータかごが沿って昇降するためのガイドレールを、この壁の内面に固定する部位を補強するのみで、特に全体を昇降路用に補強することをせず用いている。これは直接油圧式で、かつエレベータ装置１が小型であるために可能で、他の方式の場合、必要に応じて補強を行なう。なお、本昇降路２内にさらにエレベータ装置用の鉄塔を形成する独立鉄塔を形成し、前記壁と直接の作用関係を及ぼさないようにしてもよい。
【００２５】
そこで所定の高さ以上の部分は汎用収納空間７として用い、高さが低く収納に適さない部位を点検空間５として利用することが考えられる。図では汎用収納空間７と点検空間５との境界は仕切りなどを特に設けずにしている。なお、汎用収納空間７として用いず、全体を点検空間５して用いる場合なども考えられる。また汎用収納空間７を広く取るため、点検空間５をさらに奥、例えば廻り階段３に沿って曲がった部分としてもよい。このように用いることで収納容量を確保しながら、なおかつ設備機器６の点検空間５を確保することができる。
【００２６】
汎用収納空間７の入り口部分には一般の収納装置と同様に仕切りの扉７１を設け、廊下などと仕切るようにしている。この場合は折れ戸式の扉７１とし、突出を少なくしている。引戸式のものであってもよい。なお点検空間５への通路の役割も果たすので、汎用収納空間７内には棚を手前から奥に向かって設けておくことが望ましい。
【００２７】
以上、本実施形態の階段装置９を説明してきたが、特にこのように設備機器６である油圧タンク、油圧ポンプなど高さが必要な設備機器６を昇降路２の外側の点検空間５に設けた場合、昇降路２の設置面積を狭くしたときに、油圧タンクの容積は一定量必要なため油圧タンクの高さを高くせざるをえず、そのためピットを深く形成しなければならないが、点検空間５に設けることで、ピットを深くする必要も無く設置が簡単に行なえる。
【００２８】
図２は、本願発明の第二の実施形態を示した図で、点検空間５と汎用収納空間７との間に仕切り壁７２を設け、その一部に開口を設ける形で仕切り扉７３を設けている。なおこの仕切り扉７３は例えばアコーディオンカーテン等の他の形態でも構わないし、仕切り壁７２自体をアコーディオンカーテンのような簡易壁としてもよい。その他の構成等は、上記第一の実施形態と同様である。
【００２９】
図３は、本願発明の第三の実施形態を示した図で、第一、第二の実施形態と廻り階段３が、いわゆるＵ字状ではなく、Ｌ字状のものになっていることが異なっている他は、先の実施形態の階段装置９と変わるところはない。
【図面の簡単な説明】
【００３０】
【図１】本願発明の第一の実施形態である階段装置を示す平面断面図である。
【図２】本願発明の第二の実施形態である階段装置を示す平面断面図である。
【図３】本願発明の第三の実施形態である階段装置を示す平面断面図である。
【符号の説明】
【００３１】
１  エレベータ装置
２  昇降路
３  廻り階段
３１  昇り口
４  昇降面
５  点検空間
６  設備機器
６１  油圧ジャッキ
６２  油圧ユニット
６４  エレベータかご
６５  かご扉
７  汎用収納空間
７１  扉
７２  仕切り壁
７３  仕切り扉
８  乗場
８１  乗場扉
９  階段装置
【図１】
2006265835.tif 000003
【図２】
2006265835.tif 000004
【図３】
2006265835.tif 000005